(57)【要約】【課題】簡単な構成であるとともに、内容物が過剰に振り出されないようにすることが可能な振出装置を提供する。【解決手段】振出装置１０は、振出口本体３０と、振出口本体３０に取り付けられたキャップ５０と、を備えている。振出口本体３０は、基部３６と、基部３６に設けられ、内容物が通過するとともに筒状に延びる吐出部３１と、吐出部３１の周囲に設けられた第２収容部３３とを有し、キャップ５０は、天面５４と、天面５４から垂下した第１筒部５５と、第１筒部５５よりも径方向内側に位置する第１収容部５２と、第１収容部５２の周囲に設けられ、第２収容部３３からの内容物を振り出す振出口５１とを有している。吐出部３１からの内容物は、第１収容部５２に収容され、第１収容部５２からの内容物は、第２収容部３３に収容される。第１収容部５２の内周の幅Ｄ１は吐出部３１の外周の幅Ｄ２よりも大きい。【選択図】図３
2020045154.tif 000002
【特許請求の範囲】
【請求項１】
振出口本体と、前記振出口本体に取り付けられたキャップと、を備えた振出装置であって、
前記振出口本体は、基部と、前記基部に設けられ、内容物が通過するとともに筒状に延びる吐出部と、前記吐出部の周囲に設けられた第２収容部とを有し、
前記キャップは、天面と、前記天面から垂下した第１筒部と、前記第１筒部よりも径方向内側に位置する第１収容部と、前記第１収容部の周囲に設けられ、前記第２収容部からの前記内容物を振り出す振出口とを有し、
前記吐出部からの前記内容物は、前記第１収容部に収容され、前記第１収容部からの前記内容物は、前記第２収容部に収容され、
前記第１収容部の内周の幅は前記吐出部の外周の幅よりも大きい、振出装置。
【請求項２】
前記振出口本体は、前記第１筒部よりも径方向内側に位置する第２筒部を有し、前記第２筒部は、前記キャップの前記天面に当接する、請求項１記載の振出装置。
【請求項３】
前記基部は、舟形状に形成されるとともに、容器本体に溶着される溶着部を含む、請求項１又は２記載の振出装置。
【請求項４】
前記基部は、フランジ形状に形成されるとともに、容器本体に溶着される溶着部を含む、請求項１又は２記載の振出装置。
【請求項５】
前記吐出部の上端は、前記第１収容部の下端と同一平面上にあるか、又は前記第１収容部の下端よりも上方に位置する、請求項１乃至４のいずれか一項記載の振出装置。
【請求項６】
前記振出口に、前記振出口を閉鎖する閉鎖部が取り付けられている、請求項１乃至５のいずれか一項記載の振出装置。
【請求項７】
内容物を収容する容器本体と、
前記容器本体に取り付けられた、請求項１乃至６のいずれか一項記載の振出装置と、を備えた、振出装置付き容器。
【発明の詳細な説明】
【技術分野】
【０００１】
本実施の形態は、振出装置および振出装置付き容器に関する。
【背景技術】
【０００２】
従来、内容物を収容するとともに、収容された内容物を一定量ずつ繰り返し振り出して用いるための容器が知られている。このような容器としては、例えば再開封可能なチャックを備え、上下に振ることで粉体等を少量ずつ振り出すパウチ容器が知られている（例えば特許文献１参照）。
【先行技術文献】
【特許文献】
【０００３】
【特許文献１】特開２００９−０２９４７５号公報
【発明の概要】
【発明が解決しようとする課題】
【０００４】
しかしながら、特許文献１のパウチ容器においては、内容物の振り出し量をコントロールすることが難しく、振り出した際に内容物が過剰に吐出されてしまう可能性がある。
【０００５】
本開示はこのような点を考慮してなされたものであり、簡単な構成であるとともに、内容物が過剰に振り出されないようにすることが可能な、振出装置および振出装置付き容器を提供する。
【課題を解決するための手段】
【０００６】
本実施の形態による振出装置は、振出口本体と、前記振出口本体に取り付けられたキャップと、を備えた振出装置であって、前記振出口本体は、基部と、前記基部に設けられ、内容物が通過するとともに筒状に延びる吐出部と、前記吐出部の周囲に設けられた第２収容部とを有し、前記キャップは、天面と、前記天面から垂下した第１筒部と、前記第１筒部よりも径方向内側に位置する第１収容部と、前記第１収容部の周囲に設けられ、前記第２収容部からの前記内容物を振り出す振出口とを有し、前記吐出部からの前記内容物は、前記第１収容部に収容され、前記第１収容部からの前記内容物は、前記第２収容部に収容され、前記第１収容部の内周の幅は前記吐出部の外周の幅よりも大きい。
【０００７】
本実施の形態による振出装置において、前記振出口本体は、前記第１筒部よりも径方向内側に位置する第２筒部を有し、前記第２筒部は、前記キャップの前記天面に当接しても良い。
【０００８】
本実施の形態による振出装置において、前記基部は、舟形状に形成されるとともに、容器本体に溶着される溶着部を含んでいても良い。
【０００９】
本実施の形態による振出装置において、前記基部は、フランジ形状に形成されるとともに、容器本体に溶着される溶着部を含んでいても良い。
【００１０】
本実施の形態による振出装置において、前記吐出部の上端は、前記第１収容部の下端と同一平面上にあるか、又は前記第１収容部の下端よりも上方に位置しても良い。
【００１１】
本実施の形態による振出装置において、前記振出口に、前記振出口を閉鎖する閉鎖部が取り付けられていても良い。
【００１２】
本実施の形態による振出装置付き容器は、内容物を収容する容器本体と、前記容器本体に取り付けられた、前記振出装置と、を備えている。
【発明の効果】
【００１３】
本実施の形態によれば、簡単な構成であるとともに、内容物が過剰に振り出されないようにすることができる。
【図面の簡単な説明】
【００１４】
【図１】図１は、本実施の形態による振出装置付き容器を示す斜視図。
【図２】図２は、本実施の形態による振出装置付き容器を示す分解斜視図。
【図３】図３は、本実施の形態による振出装置を示す垂直断面図（図１のIII−III線断面図）。
【図４】図４は、本実施の形態による振出装置を示す断面斜視図。
【図５】図５（ａ）−（ｄ）は、本実施の形態による振出装置付き容器の使用方法を示す垂直断面図。
【図６】図６は、本実施の形態による振出装置付き容器を用いて内容物を振り出している状態を示す斜視図。
【図７】図７は、変形例による振出口本体を示す斜視図。
【図８】図８は、変形例による振出装置を示す垂直断面図。
【発明を実施するための形態】
【００１５】
以下、振出装置および振出装置付き容器の一実施の形態について、図１乃至図６を用いて説明する。図１乃至図６は、一実施の形態を示す図である。
【００１６】
なお、本明細書中、「上」および「下」とは、それぞれ振出装置１０および振出装置付き容器６０を正立させた状態（図１乃至図４）における上方および下方のことをいう。ここで、「正立」とは、容器本体１１をキャップ５０よりも鉛直方向下方に配置するとともに、振出装置１０の中心軸Ａを鉛直軸に対して平行にした状態をいう。「倒立」とは、キャップ５０を容器本体１１よりも鉛直方向下方に配置するとともに、振出装置１０の中心軸Ａを鉛直軸に対して平行にした状態をいう。また、「径方向」とは、振出装置１０の中心軸Ａに対して垂直かつ中心軸Ａから放射状に延びる方向をいう。
【００１７】
図１および図２に示すように、本実施の形態による振出装置付き容器６０は、内容物を収容するパウチ状の容器本体１１と、容器本体１１に取り付けられた振出装置１０とを備えている。このうち振出装置１０は、容器本体１１に溶着された振出口本体３０と、振出口本体３０に着脱自在に取り付けられたキャップ５０とを備えている。
【００１８】
容器本体１１は例えば、第１フィルム１５および第２フィルム１６を互いに熱溶着などによって接合することによって構成されている。第１フィルム１５と第２フィルム１６は、互いに対向するように配置されている。この場合、容器本体１１は、第１フィルム１５と第２フィルム１６との間にマチが設けられる、いわゆるガセット式のパウチとして構成されている。そのようなマチは、容器本体１１の底部および側部に設けられていてもよく、若しくは容器本体１１の底部および側部のいずれか一方に設けられていてもよい。
【００１９】
図１に示すように、各フィルムを熱溶着することによってシール部１７が構成されている。なお上部に位置するシール部１７は、第１フィルム１５と振出口本体３０とを熱溶着することによって構成された部分、および、第２フィルム１６と振出口本体３０とを熱溶着することによって構成された部分を含んでいる。
【００２０】
次に、容器本体１１を構成するフィルムの層構成について説明する。容器本体１１を構成するフィルムは、少なくとも基材層とシーラント層とが積層された積層フィルムから構成されている。このうち基材層を構成する材料としては、ポリエチレンテレフタレート、ナイロン、ポリプロピレン等を用いることができる。また、シーラント層を構成する材料としては、ポリエチレンやポリプロピレン等を用いることができる。積層フィルムは、さらに印刷層、支持体、バリア層などが設けられていてもよい。支持体としては、基材層と同様のプラスチックや紙等を用いることができる。バリア層としては、アルミニウム箔などの金属箔や、アルミニウムなどの無機物や酸化珪素や酸化アルミニウムなどの無機酸化物等を用いることができる。
【００２１】
なお、容器本体１１の内部に収容される内容物は特に限定されるものではなく、例えば調味料、コーヒー、ふりかけ等の粉末状の食品や、洗剤等の粉体を用いることができる。
【００２２】
次に、図３および図４を用いて、振出装置１０の振出口本体３０およびキャップ５０の構成について説明する。
【００２３】
図３および図４に示すように、キャップ５０は、振出口本体３０に着脱可能に取り付けられ、振出口本体３０を覆うように配置されている。これら振出口本体３０およびキャップ５０は、互いに別体に作製された後、組み合わされて一体化されている。
【００２４】
振出口本体（スパウト）３０は、基部３６と、基部３６に設けられ、容器本体１１からの内容物が通過する吐出部３１と、吐出部３１の周囲に設けられた第２収容部３３と、第２収容部３３の周囲に位置する第２筒部３９と、を有している。
【００２５】
このうち基部３６は、略舟形状に形成されるとともに、容器本体１１に溶着される溶着部３７を含んでいる。この溶着部３７は容器本体１１の第１フィルム１５および第２フィルム１６にシール部１７において溶着される部分である。溶着部３７は互いに対向する一対の溶着面３７ａと、溶着面３７ａの先端に形成された先端部３７ｂとを含む（図４参照）。そして、溶着部３７はその溶着面３７ａおよび先端部３７ｂにおいて第１フィルム１５および第２フィルム１６に溶着される。
【００２６】
吐出部３１は、振出口本体３０の径方向略中心に位置している。吐出部３１は、容器本体１１からの内容物が導入されるものであり、容器本体１１からの内容物をキャップ５０の第１収容部５２（後述）へ供給する際、その内容物が通過する開口３１ａを有する。この吐出部３１は、基部３６から上方（容器本体１１の反対側）に向けて円筒状に延びており、周方向全域にわたって形成されている。吐出部３１の開口３１ａの周縁には、平面視略円環形状の開口縁部３１ｂが形成されている。
【００２７】
吐出部３１の上端（開口縁部３１ｂ）は、キャップ５０の第１収容部５２の下端（開口周縁５７ａ）よりも上方（キャップ５０の天面５４側）に位置している。これにより、振出装置付き容器６０を倒立させたときに、吐出部３１から吐出された内容物が第１収容部５２から溢れにくくなっている。なお、吐出部３１の上端（開口縁部３１ｂ）は、キャップ５０の第１収容部５２の下端（開口周縁５７ａ）と同一平面上に位置していても良い。
【００２８】
図２に示すように、吐出部３１には、中栓（プルリング）７１が取り付けられている。この中栓７１は、吐出部３１に予め一体成形されており、開口３１ａを初期密封している。中栓７１は、開口３１ａを閉鎖する開口閉鎖部７２と、開口閉鎖部７２を引き上げるための把持部７３とを有している。開口閉鎖部７２の周縁には周方向に沿って薄肉部７４が形成されている。そして吐出部３１を初期開封する時には、中栓７１の把持部７３を指で引き上げることにより、薄肉部７４が破断して開口閉鎖部７２が開口３１ａから分離されるようになっている。
【００２９】
第２筒部３９は、吐出部３１よりも径方向外側に位置している。この第２筒部３９は、略円筒形状を有し、基部３６から上方（容器本体１１の反対側）に向けて延びている。第２筒部３９の径は吐出部３１の径よりも大きく、第２筒部３９の高さ（中心軸Ａ方向の長さ）は、吐出部３１の高さ（中心軸Ａ方向の長さ）よりも高い。第２筒部３９は、振出口本体３０とキャップ５０とを連結するものであり、その外周面には、キャップ５０の雌ねじ部５８に螺着される雄ねじ部３８が形成されている。振出口本体３０の雄ねじ部３８がキャップ５０の雌ねじ部５８に螺着されることにより、キャップ５０が振出口本体３０に着脱可能に取り付けられる。
【００３０】
第２収容部３３は、吐出部３１の周囲（径方向外側）に設けられている。この第２収容部３３は、第１収容部５２からの内容物を収容するものであり、周方向全域にわたって形成されている。すなわち第２収容部３３は、キャップ５０の第１収容部５２内に収容された内容物を、キャップ５０の振出口５１（後述）から振り出す前に収容しておくための収容部としての役割を果たす。第２収容部３３は、基部３６上に形成された底面３５を有している。
【００３１】
キャップ５０は、天面５４と、第１収容部５２と、振出口５１と、第１筒部（外筒部）５５と、第３筒部（内筒部）５７と、を有している。
【００３２】
このうち第１収容部５２は、キャップ５０の径方向略中心であって、吐出部３１に対向する位置に形成されている。この第１収容部５２は、吐出部３１からの内容物を収容するものである。すなわち第１収容部５２は、振出装置付き容器６０を倒立した際に、容器本体１１から移行した内容物を一時的に収容する。この第１収容部５２は、全体として有底円筒形状であり、下方に向けて山状に突出する収容部天部５９と、収容部天部５９の周囲において天面５４から垂下する第３筒部５７とによって取り囲まれた空間として形成されている。また、第１収容部５２の内径（内周の幅）Ｄ１は吐出部３１の外径（外周の幅）Ｄ２よりも大きくなっている。これにより、第１収容部５２からの内容物が第２収容部３３にスムーズに移行できるようになっている。
【００３３】
天面５４は、平面視円形状の平坦な板状部材である。また天面５４には、振出口５１が形成されている。天面５４の中心部は凹んでおり、上述した収容部天部５９が形成されている。
【００３４】
第１筒部５５は、天面５４の外縁から垂下しており、全体として円筒状に形成されている。第１筒部５５の内面には雌ねじ部５８が形成されている。上述したように、この雌ねじ部５８が振出口本体３０の雄ねじ部３８に螺着されることにより、キャップ５０が振出口本体３０に着脱可能に取り付けられる。
【００３５】
振出口本体３０の第２筒部３９は、第１筒部５５の径方向内側に配置されている。第１筒部５５の高さ（中心軸Ａ方向の長さ）は、第２筒部３９の高さ（中心軸Ａ方向の長さ）と略同一である。キャップ５０が振出口本体３０に取り付けられたときに、第２筒部３９の上端３９ａは天面５４に当接する。これにより、第２収容部３３に収容された内容物が、第１筒部５５と第２筒部３９との間の空間に漏れないようになっている。
【００３６】
第１筒部５５及び第２筒部３９の径方向内側には、第３筒部５７が設けられている。第３筒部５７は、天面５４から垂下しており、その高さ（中心軸Ａ方向の長さ）は、第１筒部５５の高さ（中心軸Ａ方向の長さ）よりも低い。第３筒部５７は、第１収容部５２の外周を区画している。また、第３筒部５７の下端には、円環状の開口周縁５７ａが形成されている。さらに第２筒部３９と第３筒部５７との間には、円環状の空間Ｓが形成されている。この空間Ｓを通って、第２収容部３３に収容された内容物が振出口５１側に導かれるようになっている。
【００３７】
収容部天部５９は、第１収容部５２内に位置している。収容部天部５９は、天面５４側から下方（振出口本体３０側）に向けて突出している。この収容部天部５９は、第１収容部５２に収容される内容物の量を調整するものであり、必要とされる第１収容部５２の容積に応じてその形状が規定される。具体的には、第１収容部５２の容積は、収容部天部５９と第３筒部５７とによって取り囲まれる空間の容積に相当する。このため、収容部天部５９の形状を適宜調整することにより、第１収容部５２の容積を設定することができる。収容部天部５９は切頭円錐台形状となっているので、振り出された内容物が第３筒部５７側に寄り、第２収容部３３へ移動する際に吐出部３１への逆流を抑制することができる。しかしながら、これに限らず、収容部天部５９は、円柱形状、多角柱形状等、任意の形状とすることができる。また収容部天部５９の高さ（中心軸Ａ方向の長さ）は、任意の高さとすることができる。なお、図１および図２に示すように、収容部天部５９を設けることなく、天面５４全体にわたって平坦に形成しても良い。
【００３８】
振出口５１は、第１収容部５２の周囲であって、キャップ５０の径方向略中心からずれた位置に設けられている。具体的には、振出口５１は、第１筒部５５と第２筒部３９との間であって、キャップ５０を振出口本体３０に取り付けたときに、第２筒部３９よりも径方向内側となる位置に設けられている。振出口５１は、第２収容部３３に収容された内容物を振出装置付き容器６０から外部へ振り出す際、内容物が通過する開口である。この振出口５１は平面視略円弧形状であり、天面５４を厚み方向に貫通するように形成されている。なお、図１および図２に示すように、振出口５１には、ヒンジキャップ等の閉鎖部６５が開閉可能に取り付けられていても良い。この場合、閉鎖部６５により、振出口５１が閉鎖される。
【００３９】
上述した振出口本体３０およびキャップ５０の材料としては、例えば、ポリプロピレン、ＡＢＳ樹脂、ポリエチレン、ポリスチレン、ポリエチレンテレフタレート等の合成樹脂材料を用いることができる。振出口本体３０およびキャップ５０の材料は互いに同一であっても良く、異なっていても良い。なお、振出口本体３０を容器本体１１に溶着する場合には、振出口本体３０の材料は、容器本体１１に溶着可能な材料、例えばポリエチレン等の合成樹脂材料を用いることが好ましい。また、振出口本体３０およびキャップ５０を作製する方法としては、射出成形法、コンプレッション成形法、ブロー成形法、シート成形法を挙げることができる。
【００４０】
次に、このような構成からなる本実施の形態について説明する。具体的には、振出装置付き容器６０を用いて定量の内容物を振り出す際の作用について、図５（ａ）−（ｄ）を用いて説明する。
【００４１】
はじめに、振出装置１０のキャップ５０を振出口本体３０に対して回転することにより、キャップ５０を振出口本体３０から分離する。具体的には、キャップ５０の雌ねじ部５８を振出口本体３０の雄ねじ部３８から取り外すことにより、キャップ５０を振出口本体３０から取り外す。続いて、吐出部３１から中栓７１（図２参照）を取り外すことにより、吐出部３１が初期開封される。
【００４２】
次に、キャップ５０を振出口本体３０に螺着する。具体的には、キャップ５０の雌ねじ部５８を振出口本体３０の雄ねじ部３８に螺合することにより、キャップ５０を振出口本体３０に対して取り付ける（図５（ａ）参照）。
【００４３】
続いて、容器本体１１内の内容物Ｐを振り出す。この場合、まず図５（ｂ）に示すように、振出装置１０のキャップ５０を下方に向け、振出装置付き容器６０を倒立状態とする。このとき、容器本体１１内の内容物Ｐは、振出口本体３０の吐出部３１を通過して落下し、キャップ５０の第１収容部５２内に移行する。この場合、吐出部３１の開口縁部３１ｂは、第３筒部５７の開口周縁５７ａよりも天面５４側に位置している。これにより、第１収容部５２内に収容された内容物Ｐが、第３筒部５７の開口周縁５７ａから外側に溢れ出ることが抑制される。
【００４４】
次に、図５（ｃ）に示すように、キャップ５０の振出口５１を上方に向けることにより、振出装置付き容器６０を正立させる。このとき、第１収容部５２内に収容された内容物Ｐの一部は、第３筒部５７の開口周縁５７ａと吐出部３１の開口縁部３１ｂとの隙間を通って、第２収容部３３に移行する。この内容物Ｐは、第２収容部３３で一時的に収容される。この場合、第１収容部５２から第２収容部３３に移行する内容物Ｐの分量は略一定となる。一方、第１収容部５２内に収容された内容物Ｐのうち、第２収容部３３に移行しなかった残りは、吐出部３１を通過して容器本体１１内に戻される。
【００４５】
続いて、図５（ｄ）に示すように、振出装置付き容器６０を再度倒立させる。このとき、第２収容部３３に貯められた内容物Ｐの一部は、第２筒部３９と第３筒部５７との間の空間Ｓを通り、振出口５１から振り出される。一方、第２収容部３３内に収容された内容物Ｐのうち、振出口５１から振り出されなかった残りは、第１収容部５２内に戻される。また、このとき容器本体１１内の内容物Ｐは吐出部３１から落下し、第１収容部５２に収容されるが、この時点で外部に振り出されることはない。
【００４６】
図５（ａ）−（ｄ）に示す動作を繰り返し、振出装置付き容器６０を倒立および正立する作業を交互に行うことにより、略一定量の内容物Ｐが振出口５１から繰り返し振り出される（図６参照）。このようにして、簡単かつ正確に内容物Ｐの振り出しを行うことができる。
【００４７】
このように本実施の形態によれば、振出装置付き容器６０を倒立したとき、吐出部３１からの内容物Ｐは第１収容部５２に収容され、続いて、振出装置付き容器６０を正立したとき、第１収容部５２からの内容物は、第２収容部３３に収容される。その後、振出装置付き容器６０を再び倒立したとき、第２収容部３３からの内容物は、キャップ５０の振出口５１から振り出される。これにより、第２収容部３３に貯留された分量を超える内容物が振出口５１から振り出されることがなく、内容物を過剰に振り出さないようにすることができる。また、第２収容部３３に貯留される内容物の量を略一定にすることができるので、振出口５１から振り出される内容物の分量を略一定にすることができる。
【００４８】
また本実施の形態によれば、振出装置１０が振出口本体３０とキャップ５０との２つの部材から構成されるので、振出装置１０を簡単に構成することができる。
【００４９】
また本実施の形態によれば、第１収容部５２の内径（内周の幅）Ｄ１は吐出部３１の外径（外周の幅）Ｄ２よりも大きい。これにより、振出装置付き容器６０を倒立した際、第１収容部５２からの内容物を吐出部３１の周囲に位置する第２収容部３３に移行することができる。
【００５０】
また本実施の形態によれば、振出口本体３０の第２筒部３９は、キャップ５０の天面５４に当接する。これにより、第２収容部３３に収容された内容物が、第１筒部５５と第２筒部３９との間の空間に漏れないようにすることができる。
【００５１】
また本実施の形態によれば、基部３６は、舟形状に形成されるとともに、容器本体１１に溶着される溶着部３７を含むので、この溶着部３７によって振出口本体３０を容器本体１１に強固に溶着することができる。
【００５２】
また本実施の形態によれば、吐出部３１の上端は、第１収容部５２の下端と同一平面上にあるか、又は第１収容部５２の下端よりも上方に位置する。これにより、振出装置付き容器６０を倒立した際に、吐出部３１からの内容物が第１収容部５２から漏れないようにすることができる。
【００５３】
［実施例］
次に、上記実施の形態における具体的実施例について説明する。
【００５４】
（実施例）
図１乃至図４に示す振出装置付き容器６０（実施例）を準備した。
【００５５】
次に、振出装置付き容器６０の容器本体１１（実施例）に対して内容物を１００ｇずつ収容した。内容物としては粉末状のコーヒー豆を用いた。続いて、振出装置付き容器６０（実施例）に対して振り出し作業を複数回行い、このときの毎回の振り出し量を測定した。なお、狙いとする振り出し量は５ｇとした。内容物が安定して振り出すことができなくなるまで繰り返し、振り出し量の平均値を算出した。この結果を以下に示す。
【００５６】
【表１】
2020045154.tif 000003
【００５７】
この結果、振出装置付き容器６０（実施例）は、振り出し量の最大値が５．３１ｇに抑えられ、内容物が過剰に振り出されることがなかった。
【００５８】
（変形例）
次に、図７および図８を参照して、本実施の形態の変形例について説明する。図７は、振出口本体３０の変形例を示す斜視図であり、図８は、図７に示す振出口本体３０を有する振出装置１０を示す断面図である。図７および図８において、図１乃至図６に示す形態と同一部分には同一の符号を付して詳細な説明は省略する。
【００５９】
図７および図８に示す振出口本体３０は、フランジ形状に形成された平面視略円環状の基部４６を有している。この基部４６は、容器本体１１に溶着される溶着部４７を含んでいる。また、容器本体１１（図８参照）は、例えば紙容器からなる。この容器本体１１は、容器開口１９を有し、この容器開口１９から振出口本体３０の吐出部３１が外方に突出する。また容器本体１１は、ポリエチレン等の内層を有し、この内層と溶着部４７とが溶着されることにより、振出口本体３０が容器本体１１に取り付けられている。このほかの構成は、図１乃至図６に示す形態と略同一である。
【００６０】
本開示は上記実施の形態そのままに限定されるものではなく、実施段階ではその要旨を逸脱しない範囲で構成要素を変形して具体化できる。また、上記実施の形態に開示されている複数の構成要素の適宜な組み合わせにより、種々の発明を形成できる。実施の形態に示される全構成要素から幾つかの構成要素を削除してもよい。
【符号の説明】
【００６１】
１０        振出装置
１１        容器本体
３０        振出口本体
３１        吐出部
３３        第２収容部
３４        フランジ部
３５        底面
３６        基部
３７        溶着部
３８        雄ねじ部
３９        第２筒部
５０        キャップ
５１        振出口
５２        第１収容部
５４        天面
５５        第１筒部
５７        第３筒部
５８        雌ねじ部
５９        収容部天部
６０        振出装置付き容器
６５        閉鎖部
７１        中栓
【図１】
2020045154.tif 000004
【図２】
2020045154.tif 000005
【図３】
2020045154.tif 000006
【図４】
2020045154.tif 000007
【図５】
2020045154.tif 000008
【図６】
2020045154.tif 000009
【図７】
2020045154.tif 000010
【図８】
2020045154.tif 000011